(57)【要約】【課題】電極側絶縁部の変形を抑制できる蓄電装置の製造装置及び蓄電装置の製造方法を提供する。【解決手段】導電部材１７と、電極組立体１２のタブ側端面１２ａから曲げられていない状態で延出するタブ群１５とが、タブ群１５の先端部が導電部材１７の長縁部１７ａから突出した状態で重ねられて接合されることで、タブ群１５には導電部材１７に沿う状態に延びる延出部１５ｂが形成される。タブ群１５における導電部材１７の長縁部１７ａから突出した部分を余剰部１５ｅとする。二次電池の製造装置６０は、導電部材１７側から余剰部１５ｅを押圧して撓ませるピン６３と、撓んだ状態の余剰部１５ｅを電極組立体１２のタブ側端面１２ａに向けて押圧することで、余剰部１５ｅを延出部１５ｂに沿う状態に屈曲させ、延出部１５ｂに沿う状態に屈曲した余剰部１５ｅを導電部材１７に向けて押圧するボールプランジャ６８と、を備える。【選択図】図５
2020042910.tif 000002
【特許請求の範囲】
【請求項１】
複数の電極が積層された電極組立体と、
前記電極の一辺の一部から突出した形状のタブが積層されたタブ群と、
前記電極組立体及び前記タブ群を収容するケース本体、及び前記ケース本体の開口部を閉塞する蓋を有するケースと、
前記タブ群と接合され、前記蓋と、前記蓋の内面に対向し、かつ前記タブ群が存在する前記電極組立体のタブ側端面との間に配置された導電部材と、
前記電極の積層方向の一端側において前記タブ群と前記ケース本体の内面との間に介在するケース側絶縁部、前記導電部材と前記蓋の内面との間に介在する板状の蓋側絶縁部、及び前記タブ群と前記電極組立体のタブ側端面との間に介在する板状の電極側絶縁部を有する絶縁カバーと、
を備え、
前記タブ群は、前記導電部材に沿う状態に延びる延出部と、前記延出部と繋がり、前記積層方向の一端側で屈曲された屈曲部と、前記屈曲部から前記積層方向の他端側に向けて延びる折り返し部とを有する蓄電装置の製造装置であって、
前記導電部材と、前記電極組立体のタブ側端面から曲げられていない状態で延出する前記タブ群とが、前記タブ群の先端部が前記導電部材の縁部から突出した状態で重ねられて接合されることで、前記導電部材に沿って前記延出部が形成され、
前記タブ群における前記導電部材の縁部から突出した部分である余剰部を、前記導電部材側から押圧して撓ませる第１押圧部と、
撓んだ状態の前記余剰部を前記電極組立体のタブ側端面に向けて押圧することで、前記余剰部を前記延出部に沿う状態に屈曲させ、前記延出部に沿う状態に屈曲した前記余剰部を前記導電部材に向けて押圧する第２押圧部と、
を備えることを特徴とする蓄電装置の製造装置。
【請求項２】
前記第２押圧部は、前記タブ群と前記導電部材とが重なる方向への弾性力を有する請求項１に記載の蓄電装置の製造装置。
【請求項３】
前記第２押圧部は、撓んだ状態の前記余剰部を前記電極組立体のタブ側端面に向けて押圧することで前記余剰部を前記延出部に沿う状態に屈曲させる屈曲機構と、前記余剰部を前記延出部に沿う状態に屈曲させた後、前記余剰部を前記導電部材に向けて押圧する押圧機構とを有する請求項１に記載の蓄電装置の製造装置。
【請求項４】
前記第２押圧部が前記余剰部を前記導電部材に向けて押圧する前に、前記蓋の内面と前記導電部材との間に挿入され、前記導電部材を支持する支持部を備える請求項１〜請求項３の何れか一項に記載の蓄電装置の製造装置。
【請求項５】
複数の電極が積層された電極組立体と、
前記電極の一辺の一部から突出した形状のタブが積層されたタブ群と、
前記電極組立体及び前記タブ群を収容するケース本体、及び前記ケース本体の開口部を閉塞する蓋を有するケースと、
前記タブ群と接合され、前記蓋と、前記蓋の内面に対向し、かつ前記タブ群が存在する前記電極組立体のタブ側端面との間に配置された導電部材と、
前記電極の積層方向の一端側において前記タブ群と前記ケース本体の内面との間に介在するケース側絶縁部、前記導電部材と前記蓋の内面との間に介在する板状の蓋側絶縁部、及び前記タブ群と前記電極組立体のタブ側端面との間に介在する板状の電極側絶縁部を有する絶縁カバーと、
を備え、
前記タブ群は、前記導電部材に沿う状態に延びる延出部と、前記延出部と繋がり、前記積層方向の一端側で屈曲された屈曲部と、前記屈曲部から前記積層方向の他端側に向けて延びる折り返し部とを有する蓄電装置の製造方法であって、
前記導電部材と、前記電極組立体のタブ側端面から曲げられていない状態で延出する前記タブ群とを、前記タブ群の先端部が前記導電部材の縁部から突出した状態で重ねて接合することで、前記導電部材に沿って前記延出部を形成し、
前記タブ群における前記導電部材の縁部から突出した部分である余剰部を、前記導電部材側から押圧して撓ませ、
撓んだ状態の前記余剰部を前記電極組立体のタブ側端面に向けて押圧して、前記余剰部を前記延出部に沿う状態に屈曲させ、前記延出部に沿う状態に屈曲した前記余剰部を前記導電部材に向けて押圧することを特徴とする蓄電装置の製造方法。
【発明の詳細な説明】
【技術分野】
【０００１】
本発明は、屈曲されたタブ群を有する蓄電装置の製造装置、及び蓄電装置の製造方法に関する。
【背景技術】
【０００２】
従来から、ＥＶ（Electric Vehicle）やＰＨＶ（Plug in Hybrid Vehicle）などの車両には、電動機などへの供給電力を蓄える蓄電装置としてリチウムイオン二次電池やニッケル水素二次電池などが搭載されている。特許文献１に開示の二次電池は、複数の電極が積層された電極組立体と、電極の一辺の一部から突出した形状のタブが積層されたタブ群と、電極組立体及びタブ群を収容するケース本体、及びケース本体の開口部を閉塞する蓋を有するケースとを備える。また、二次電池は、タブ群と接合された導電部材を備える。導電部材は、蓋と、蓋の内面に対向し、かつタブ群が存在する電極組立体のタブ側端面との間に配置される。タブ群は、導電部材に沿う状態に延びる延出部と、延出部と繋がり、電極の積層方向の一端側で屈曲された屈曲部と、屈曲部から積層方向の他端側に向けて延びる折り返し部とを有する。
【０００３】
また、二次電池は、絶縁カバーを備える。絶縁カバーは、電極の積層方向の一端側においてタブ群とケース本体の内面との間に介在するケース側絶縁部と、導電部材と蓋の内面との間に介在する板状の蓋側絶縁部と、タブ群の折り返し部と電極組立体のタブ側端面との間に介在する板状の電極側絶縁部を有する。
【先行技術文献】
【特許文献】
【０００４】
【特許文献１】特開２０１８−１２５２８２号公報
【発明の概要】
【発明が解決しようとする課題】
【０００５】
このように屈曲されたタブ群を有する二次電池では、タブ群の屈曲部が屈曲前の形状に戻ろうとすることにより、折り返し部が屈曲部を軸に電極組立体側に向けて回動することがある。回動したタブ群の折り返し部は、絶縁カバーの電極側絶縁部を押し下げ、電極側絶縁部を変形させる。
【０００６】
本発明は、上記課題を解決するためになされたものであり、その目的は、電極側絶縁部の変形を抑制できる蓄電装置の製造装置及び蓄電装置の製造方法を提供することにある。
【課題を解決するための手段】
【０００７】
上記問題点を解決するための蓄電装置の製造装置は、複数の電極が積層された電極組立体と、前記電極の一辺の一部から突出した形状のタブが積層されたタブ群と、前記電極組立体及び前記タブ群を収容するケース本体、及び前記ケース本体の開口部を閉塞する蓋を有するケースと、前記タブ群と接合され、前記蓋と、前記蓋の内面に対向し、かつ前記タブ群が存在する前記電極組立体のタブ側端面との間に配置された導電部材と、前記電極の積層方向の一端側において前記タブ群と前記ケース本体の内面との間に介在するケース側絶縁部、前記導電部材と前記蓋の内面との間に介在する板状の蓋側絶縁部、及び前記タブ群と前記電極組立体のタブ側端面との間に介在する板状の電極側絶縁部を有する絶縁カバーと、を備え、前記タブ群は、前記導電部材に沿う状態に延びる延出部と、前記延出部と繋がり、前記積層方向の一端側で屈曲された屈曲部と、前記屈曲部から前記積層方向の他端側に向けて延びる折り返し部とを有する蓄電装置の製造装置であって、前記導電部材と、前記電極組立体のタブ側端面から曲げられていない状態で延出する前記タブ群とが、前記タブ群の先端部が前記導電部材の縁部から突出した状態で重ねられて接合されることで、前記導電部材に沿って前記延出部が形成され、前記タブ群における前記導電部材の縁部から突出した部分である余剰部を、前記導電部材側から押圧して撓ませる第１押圧部と、撓んだ状態の前記余剰部を前記電極組立体のタブ側端面に向けて押圧することで、前記余剰部を前記延出部に沿う状態に屈曲させ、前記延出部に沿う状態に屈曲した前記余剰部を前記導電部材に向けて押圧する第２押圧部と、を備えることを要旨とする。
【０００８】
これによれば、第１押圧部によって余剰部を撓ませた状態で、第２押圧部によって余剰部を延出部に沿う状態に屈曲させる。これにより、余剰部には、屈曲部と折り返し部とが形成される。また、第２押圧部によって、屈曲した状態の余剰部を導電部材に向けて押圧する。これにより、余剰部は屈曲した状態で癖付けされ、余剰部が屈曲前の形状に戻ることが抑制される。よって、製造された蓄電装置において、タブ群の屈曲部が屈曲前の形状に戻ろうとすることにより、折り返し部が屈曲部を軸に電極組立体側に回動することが抑制される。その結果、屈曲前の形状に戻ろうとするタブ群が絶縁カバーの電極側絶縁部を押し下げることによる電極側絶縁部の変形を抑制できる。
【０００９】
また、上記蓄電装置の製造装置について、前記第２押圧部は、前記タブ群と前記導電部材とが重なる方向への弾性力を有するのが好ましい。
これによれば、第２押圧部の弾性力によって、屈曲した状態の余剰部を導電部材に向けて押圧する。よって、例えば、駆動部によって第２押圧部を余剰部に近付くように移動させることで、余剰部を導電部材に向けて押圧する場合と比較して、第２押圧部によって余剰部を導電部材に向けて押圧するための構成を簡素化できる。
【００１０】
また、上記蓄電装置の製造装置について、前記第２押圧部は、撓んだ状態の前記余剰部を前記電極組立体のタブ側端面に向けて押圧することで前記余剰部を前記延出部に沿う状態に屈曲させる屈曲機構と、前記余剰部を前記延出部に沿う状態に屈曲させた後、前記余剰部を前記導電部材に向けて押圧する押圧機構とを有する。
【００１１】
また、上記蓄電装置の製造装置について、前記第２押圧部が前記余剰部を前記導電部材に向けて押圧する前に、前記蓋の内面と前記導電部材との間に挿入され、前記導電部材を支持する支持部を備えるのが好ましい。
【００１２】
これによれば、導電部材は支持部によって支持されているため、第２押圧部によって余剰部を導電部材に向けて押圧した際に、導電部材が変形することを抑制できる。
上記問題点を解決するための蓄電装置の製造方法は、複数の電極が積層された電極組立体と、前記電極の一辺の一部から突出した形状のタブが積層されたタブ群と、前記電極組立体及び前記タブ群を収容するケース本体、及び前記ケース本体の開口部を閉塞する蓋を有するケースと、前記タブ群と接合され、前記蓋と、前記蓋の内面に対向し、かつ前記タブ群が存在する前記電極組立体のタブ側端面との間に配置された導電部材と、前記電極の積層方向の一端側において前記タブ群と前記ケース本体の内面との間に介在するケース側絶縁部、前記導電部材と前記蓋の内面との間に介在する板状の蓋側絶縁部、及び前記タブ群と前記電極組立体のタブ側端面との間に介在する板状の電極側絶縁部を有する絶縁カバーと、を備え、前記タブ群は、前記導電部材に沿う状態に延びる延出部と、前記延出部と繋がり、前記積層方向の一端側で屈曲された屈曲部と、前記屈曲部から前記積層方向の他端側に向けて延びる折り返し部とを有する蓄電装置の製造方法であって、前記導電部材と、前記電極組立体のタブ側端面から曲げられていない状態で延出する前記タブ群とを、前記タブ群の先端部が前記導電部材の縁部から突出した状態で重ねて接合することで、前記導電部材に沿って前記延出部を形成し、前記タブ群における前記導電部材の縁部から突出した部分である余剰部を、前記導電部材側から押圧して撓ませ、撓んだ状態の前記余剰部を前記電極組立体のタブ側端面に向けて押圧して、前記余剰部を前記延出部に沿う状態に屈曲させ、前記延出部に沿う状態に屈曲した前記余剰部を前記導電部材に向けて押圧することを要旨とする。
【００１３】
これによれば、撓んだ状態の余剰部を延出部に沿う状態に屈曲させることにより、余剰部には屈曲部と折り返し部とが形成される。また、屈曲した状態の余剰部を導電部材に向けて押圧することで、余剰部は屈曲された状態で癖付けされ、余剰部が屈曲前の形状に戻ることが抑制される。よって、製造された蓄電装置において、タブ群の屈曲部が屈曲前の形状に戻ろうとすることにより、折り返し部が屈曲部を軸に電極組立体側に回動することが抑制される。その結果、屈曲前の形状に戻ろうとするタブ群が絶縁カバーの電極側絶縁部を押し下げることによる電極側絶縁部の変形を抑制できる。
【発明の効果】
【００１４】
本発明によれば、電極側絶縁部の変形を抑制できる。
【図面の簡単な説明】
【００１５】
【図１】実施形態の二次電池の分解斜視図。
【図２】二次電池の断面図。
【図３】二次電池の断面図。
【図４】二次電池の製造装置の平面図。
【図５】二次電池の製造装置の断面図。
【図６】屈曲工程を示す断面図。
【図７】屈曲工程を示す断面図。
【図８】（ａ）は屈曲工程を示す平面図、（ｂ）は屈曲工程を示す断面図。
【発明を実施するための形態】
【００１６】
以下、蓄電装置の製造装置及び製造方法を、二次電池の製造装置及び製造方法に具体化した一実施形態を図１〜図８にしたがって説明する。
図１及び図２に示すように、蓄電装置としての二次電池１０は、ケース１１と、ケース１１に収容された電極組立体１２を備える。ケース１１は、直方体状のケース本体１３と、ケース本体１３の開口部１３ａを閉塞する矩形平板状の蓋１４とを有する。ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有する。蓋１４において、ケース１１の内側に臨む面を内面１４ａとし、ケース１１の外側に臨む面を外面１４ｂとする。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１７】
図３に示すように、電極組立体１２は、複数の電極としての正極電極２１と、複数の電極としての負極電極２２と、複数のセパレータ２３とを備える。電極組立体１２は、正極電極２１と負極電極２２との間にセパレータ２３を介在させ、かつ相互に絶縁させた状態で積層した層状構造を有する。
【００１８】
正極電極２１は、矩形シート状の正極集電体（例えばアルミニウム箔）２４と、正極集電体２４の両面に存在する正極活物質層２５とを有する。正極電極２１は、一辺２１ａの一部から突出した矩形状の正極のタブ２６を有する。正極のタブ２６は、正極活物質層２５が存在せず、正極集電体２４そのもので構成されている。正極のタブ２６の長手方向は、正極電極２１の一辺２１ａからのタブ２６の突出方向と一致し、正極のタブ２６の短手方向は、正極電極２１の一辺２１ａに沿う方向と一致する。正極電極２１の一辺２１ａからの正極のタブ２６の突出量は、全ての正極電極２１でほぼ同じである。
【００１９】
負極電極２２は、矩形シート状の負極集電体（例えば銅箔）２７と、負極集電体２７の両面に存在する負極活物質層２８とを有する。負極電極２２は、一辺２２ａの一部から突出した矩形状の負極のタブ２６を有する。負極のタブ２６は、負極活物質層２８が存在せず、負極集電体２７そのもので構成されている。負極のタブ２６の長手方向は、負極電極２２の一辺２２ａからのタブ２６の突出方向と一致し、負極のタブ２６の短手方向は、負極電極２２の一辺２２ａに沿う方向と一致する。負極電極２２の一辺２２ａからの負極のタブ２６の突出量は、全ての負極電極２２でほぼ同じである。正極及び負極のタブ２６は、正極電極２１及び負極電極２２が積層された状態で、正極のタブ２６と負極のタブ２６とが重ならないように位置する。セパレータ２３は、絶縁性を有し、正極電極２１と負極電極２２とを絶縁する。正極電極２１、負極電極２２、及びセパレータ２３が積層された方向を積層方向とする。
【００２０】
電極組立体１２は、タブ側端面１２ａを備える。タブ側端面１２ａは、正極電極２１の一辺２１ａ、負極電極２２の一辺２２ａ、及びセパレータ２３の一辺によって構成されている。電極組立体１２を構成する各正極電極２１は、それぞれのタブ２６が積層方向に沿って配列されるように積層される。同様に、電極組立体１２を構成する各負極電極２２は、それぞれのタブ２６が積層方向に沿って配列されるように積層される。また、電極組立体１２は、タブ側端面１２ａとは反対側の端面に底側端面１２ｂを備える。
【００２１】
二次電池１０は、電極組立体１２のタブ側端面１２ａから突出した正極のタブ群１５を有する。正極のタブ群１５は、全ての正極のタブ２６が寄せ集められ積層されることで形成される。また、電極組立体１２は、タブ側端面１２ａから突出した負極のタブ群１５を有する。負極のタブ群１５は、全ての負極のタブ２６が寄せ集められ積層されることで形成される。正極のタブ群１５と負極のタブ群１５とは、正極電極２１及び負極電極２２の一辺２１ａ，２２ａに沿う方向において間隔を空けて並ぶ。
【００２２】
図３に示すように、各極のタブ群１５において、積層方向の一端に位置するタブ２６を一端側タブ２６ａとし、積層方向の他端に位置するタブ２６を他端側タブ２６ｂとする。各極のタブ群１５において、各タブ２６は、一端側タブ２６ａが他端側タブ２６ｂに接近するように積層方向の他端側に寄せ集められている。また、上述したように、正極電極２１の一辺２１ａからの正極のタブ２６の突出量は、全ての正極電極２１でほぼ同じであり、負極電極２２の一辺２２ａからの負極のタブ２６の突出量は、全ての負極電極２２でほぼ同じである。このため、各極のタブ群１５において、他端側タブ２６ｂの先端は、一端側タブ２６ａの先端よりも突出している。タブ群１５の先端では、各タブ２６の先端が段状に並んでいる。
【００２３】
タブ群１５は、積層方向の他端側において屈曲された第１屈曲部１５ａと、第１屈曲部１５ａから積層方向の一端側に向けて延びる延出部１５ｂと、延出部１５ｂと繋がり、積層方向の一端側において屈曲された屈曲部としての第２屈曲部１５ｃと、第２屈曲部１５ｃから積層方向の他端側に向けて延びる折り返し部１５ｄとを有する。第１屈曲部１５ａ、延出部１５ｂ、第２屈曲部１５ｃ、及び折り返し部１５ｄの一部は、全てのタブ２６が積層されて構成される。タブ群１５における各タブ２６の先端が段状に並ぶ部分は、折り返し部１５ｄにおける第２屈曲部１５ｃとは反対側の端部に存在する。
【００２４】
図１に示すように、二次電池１０は、正極及び負極の端子構造１６を備える。正極の端子構造１６は、蓋１４の長手方向の一端側に配置され、負極の端子構造１６は、蓋１４の長手方向の他端側に配置される。正極の端子構造１６と負極の端子構造１６は、基本的に同じ構成である。
【００２５】
図２及び図３に示すように、正極及び負極の端子構造１６はそれぞれ、矩形板状の導電部材１７を備える。各導電部材１７は、蓋１４の内面１４ａに沿うようにして、蓋１４の内面１４ａと電極組立体１２のタブ側端面１２ａとの間に配置されている。各導電部材１７は、長手が蓋１４の長手方向へ延びるクランク状であり、各導電部材１７の短手は、積層方向へ延びる。各導電部材１７と蓋１４の内面１４ａとの間には隙間が存在する。各タブ群１５の延出部１５ｂは、各導電部材１７に沿う状態に配置される。正極の導電部材１７は、溶接部Ａによって正極のタブ群１５の延出部１５ｂと接合される。負極の導電部材１７は、溶接部Ａによって負極のタブ群１５の延出部１５ｂと接合される。
【００２６】
正極及び負極の端子構造１６はそれぞれ、導電部材１７に接続された引出端子１６ａを備える。各引出端子１６ａは、板状の基部１６１と、基部１６１から突出する軸部１６２とを有する。引出端子１６ａは、電極組立体１２と電気を授受する。正極の引出端子１６ａの基部１６１は、正極の導電部材１７と電気的に接続され、負極の引出端子１６ａの基部１６１は、負極の導電部材１７と電気的に接続されている。各引出端子１６ａの軸部１６２の先端部は、蓋１４を貫通してケース１１の外部に突出するとともに、かしめられている。引出端子１６ａの軸部１６２は、二次電池１０の内外を繋ぐ。正極及び負極の端子構造１６はそれぞれ、ケース１１の外部で引出端子１６ａの軸部１６２と電気的に接続された端子接合部材１６ｂと、端子接合部材１６ｂと電気的に接続された外部接続端子１６ｃとを備える。外部接続端子１６ｃには、二次電池１０同士を電気的に接続する図示しない外部装置としてのバスバーが固定可能である。各端子構造１６は、電極組立体１２とバスバーとを電気的に接続している。
【００２７】
図１に示すように、二次電池１０は、端子接合部材１６ｂを蓋１４から絶縁する外側絶縁部材１８を蓋１４の外面１４ｂに備え、引出端子１６ａの基部１６１を蓋１４から絶縁する内側絶縁部材１９をケース１１の内部に備える。
【００２８】
内側絶縁部材１９は、矩形板状の板状絶縁部１９ａを備える。板状絶縁部１９ａは、引出端子１６ａの基部１６１と蓋１４の内面１４ａとの間に配置されている。引出端子１６ａの軸部１６２は、板状絶縁部１９ａを貫通する。内側絶縁部材１９は、板状絶縁部１９ａの３つの縁部から電極組立体１２に向けて立設する第１〜第３壁部１９ｂ〜１９ｄを備える。第１壁部１９ｂは積層方向の一端側に位置し、第２壁部１９ｃは積層方向の他端側に位置する。第１壁部１９ｂと第２壁部１９ｃは、積層方向に対向する。第３壁部１９ｄは、蓋１４の長手方向の短縁部寄りに位置する。第１〜第３壁部１９ｂ〜１９ｄは、板状絶縁部１９ａの厚さ方向から見たとき、蓋１４の長手方向の中央に向けて開口するコ字型である。導電部材１７の一部は、板状絶縁部１９ａ及び第１〜第３壁部１９ｂ〜１９ｄによって囲まれた空間に収容される。
【００２９】
以下、蓋１４と、正極及び負極の端子構造１６と、外側絶縁部材１８と、内側絶縁部材１９とが一体化されたものを蓋側部材Ｗ１とし、電極組立体１２と蓋側部材Ｗ１とが一体化されたものを蓋端子組立体Ｗ２とする。
【００３０】
図１〜図３に示すように、二次電池１０は、蓋端子組立体Ｗ２に対し、積層方向の一端側から他端側に向けて取り付けられる絶縁カバー３０を備える。
図１及び図３に示すように、絶縁カバー３０は、矩形板状のケース側絶縁部３１を備える。ケース側絶縁部３１は、各極性のタブ群１５の第２屈曲部１５ｃを積層方向の一端側から覆い、各極性のタブ群１５とケース本体１３の一方の長側壁１３ｃの内面とを絶縁する。よって、ケース側絶縁部３１は、積層方向の一端側において、タブ群１５とケース本体１３との間に介在する。
【００３１】
図３に示すように、絶縁カバー３０は、蓋１４の長手方向に延びるケース側絶縁部３１の一対の長縁部のうち、蓋１４寄りの長縁部から積層方向の他端側に向けて延出した矩形板状の蓋側絶縁部３２を備える。蓋側絶縁部３２の長手方向は、蓋１４の長手方向と一致し、蓋側絶縁部３２の短手方向は、積層方向と一致する。蓋側絶縁部３２は、正極及び負極の導電部材１７と蓋１４の内面１４ａとの間に介在し、正極及び負極の導電部材１７と蓋１４とを絶縁する。蓋側絶縁部３２は、正極及び負極の導電部材１７に支持されている。
【００３２】
絶縁カバー３０は、ケース側絶縁部３１の一対の長縁部のうち、電極組立体１２寄りの長縁部の一部から積層方向の他端側に向けて延出した板状の各極性の電極側絶縁部３３を備える。正極の電極側絶縁部３３は、ケース側絶縁部３１の長縁部の一端部から延出し、負極の電極側絶縁部３３は、ケース側絶縁部３１の長縁部の他端部から延出する。よって、正極の電極側絶縁部３３は、蓋１４の長手方向の一端側に位置し、負極の電極側絶縁部３３は、蓋１４の長手方向の他端側に位置する。
【００３３】
図１に示すように、電極側絶縁部３３は、蓋側絶縁部３２の厚さ方向から見て、蓋側絶縁部３２の一部と重なる矩形状のタブ側絶縁部３４と、タブ側絶縁部３４と連続し、かつ蓋側絶縁部３２の長手方向の端部からはみ出す矩形状の端子側絶縁部３５とを有する。タブ側絶縁部３４の長手方向は、蓋１４の長手方向と一致し、タブ側絶縁部３４の短手方向は、積層方向と一致する。タブ側絶縁部３４の短手方向の寸法は、蓋側絶縁部３２の短手方向の寸法よりも短く、蓋１４の短手方向に沿う端子側絶縁部３５の寸法は、蓋側絶縁部３２の短手方向の寸法と同じである。
【００３４】
図３に示すように、タブ群１５は、導電部材１７とケース側絶縁部３１と電極側絶縁部３３のタブ側絶縁部３４とによって囲まれた空間に位置する。タブ側絶縁部３４は、タブ群１５の折り返し部１５ｄと、電極組立体１２のタブ側端面１２ａとの間に介在し、折り返し部１５ｄを電極組立体１２側から覆う。タブ側絶縁部３４は、タブ群１５と電極組立体１２とを絶縁する。図２に示すように、端子側絶縁部３５は、導電部材１７と電極組立体１２のタブ側端面１２ａとの間に介在し、導電部材１７を電極組立体１２側から覆う。端子側絶縁部３５は、導電部材１７と電極組立体１２とを絶縁する。
【００３５】
図１及び図３に示すように、電極側絶縁部３３は、端子側絶縁部３５における導電部材１７寄りの面３３ａから突出する爪部３６を備える。爪部３６は、積層方向の他端側に位置する。図３に示すように、爪部３６は、内側絶縁部材１９の第２壁部１９ｃの外面に係止される。
【００３６】
次に、二次電池１０の製造方法について説明する。
二次電池１０の製造方法は、蓋側部材Ｗ１を製造する蓋側部材製造工程と、電極組立体１２と蓋側部材Ｗ１とを一体化して蓋端子組立体Ｗ２を製造する蓋端子組立体製造工程とを備える。
【００３７】
蓋側部材製造工程では、まず、端子構造１６の一部である引出端子１６ａの基部１６１と導電部材１７とを接合する。次に、基部１６１上に、内側絶縁部材１９を配置し、内側絶縁部材１９上に蓋１４を配置する。次に、蓋１４上に外側絶縁部材１８を配置し、外側絶縁部材１８上に端子構造１６の一部である端子接合部材１６ｂを配置する。引出端子１６ａの軸部１６２は、内側絶縁部材１９、蓋１４、外側絶縁部材１８、及び端子接合部材１６ｂを貫通する。次に、蓋１４の外面１４ｂから突出する各引出端子１６ａの軸部１６２の先端部をかしめる。これにより、端子構造１６と、外側絶縁部材１８と、内側絶縁部材１９とが蓋１４に一体化され、蓋側部材Ｗ１が完成する。
【００３８】
蓋端子組立体製造工程は、電極組立体１２が備える複数のタブ２６を集箔してタブ群１５を形成する集箔工程と、タブ群１５と、蓋側部材Ｗ１の一部である導電部材１７とを接合する接合工程とを含む。
【００３９】
集箔工程では、蓋側部材Ｗ１の一部である導電部材１７上に、電極組立体１２のタブ側端面１２ａから突出する全てのタブ２６を重ねて配置する。このとき、全てのタブ２６は、曲げられていない状態である。全てのタブ２６を導電部材１７上に配置すると、各タブ２６の先端は、導電部材１７における電極組立体１２とは反対側の長縁部１７ａ（図４参照）から突出した状態となる。次に、図示しない押圧治具によって、タブ２６を挟んで導電部材１７の反対側から全てのタブ２６を押圧し、積層方向の他端に寄せ集める。これにより、タブ群１５が形成される。タブ群１５において、導電部材１７の長縁部１７ａから突出した部分を余剰部１５ｅとする。この余剰部１５ｅは、後に第２屈曲部１５ｃ及び折り返し部１５ｄとなる部分である。
【００４０】
接合工程では、押圧治具によってタブ群１５を導電部材１７に向けて押圧した状態で、図示しないレーザ照射装置によって、重ねられたタブ群１５及び導電部材１７に向けてレーザを照射する。これにより、タブ群１５における導電部材１７と重なる部分に延出部１５ｂが形成され、タブ群１５の延出部１５ｂと導電部材１７とが溶接された溶接部Ａが形成される。電極組立体１２と蓋側部材Ｗ１とは、溶接部Ａによって一体化され、蓋端子組立体Ｗ２が完成する。
【００４１】
二次電池１０の製造方法は、タブ群１５を屈曲して第２屈曲部１５ｃ及び折り返し部１５ｄを形成する第１屈曲工程と、タブ群１５を屈曲して蓋側部材Ｗ１の姿勢を変更する第２屈曲工程とを備える。
【００４２】
ここで、第１屈曲工程を行う二次電池の製造装置６０について、図４〜図８を用いて説明する。なお、図４〜図８では、蓋端子組立体Ｗ２のうち、電極組立体１２、タブ群１５、蓋１４、及び導電部材１７以外の部材については図示を省略している。
【００４３】
図４及び図５に示すように、二次電池の製造装置６０は、電極組立体１２が載置される第１載置部６１と、蓋側部材Ｗ１が載置される第２載置部６２とを備える。第１載置部６１と第２載置部６２は、水平方向に並設される。第１載置部６１は、電極組立体１２を支持する支持面６１ａを有し、第２載置部６２は、蓋側部材Ｗ１を支持する支持面６２ａを有する。第１載置部６１及び第２載置部６２は、支持面６１ａ，６２ａが重力方向の上側を向くように水平に配置される。以下、第１載置部６１と第２載置部６２とが並設される方向をＸ方向とし、重力方向及びＸ方向と直交する方向をＹ方向とする。
【００４４】
第２載置部６２は、２つの収容孔６２ｂと、各収容孔６２ｂに収容された第１押圧部としてのピン６３とを有する。各ピン６３は、図示しない駆動部に接続され、第２載置部６２の支持面６２ａから出没可能である。２本のピン６３は、Ｙ方向において間隔を空けて配置され、２本のピン６３の間隔は、正極のタブ群１５の短手方向の中央から負極のタブ群１５における短手方向の中央までの距離とほぼ同じである。
【００４５】
二次電池の製造装置６０は、第２載置部６２の支持面６２ａに一対の蓋保持部６４を備える。一方の蓋保持部６４と他方の蓋保持部６４とは、Ｙ方向に並んでいる。各蓋保持部６４は、Ｙ方向に移動可能な状態で第２載置部６２に配置されている。各蓋保持部６４は、図示しない駆動部に接続されている。駆動部は、各蓋保持部６４をＹ方向に移動させることにより、一対の蓋保持部６４を、蓋１４を蓋１４の長手方向の両側から保持する保持位置と、蓋１４を保持しない非保持位置とで移動させる。
【００４６】
二次電池の製造装置６０は、第２載置部６２の支持面６２ａに押圧装置６５を備える。押圧装置６５は、本体部６５ａと、本体部６５ａから延びる２本のアーム部６５ｂと、２本のアーム部６５ｂの先端に接続された先端側部材６５ｃとを備える。２本のアーム部６５ｂは、Ｘ方向に伸縮可能である。本体部６５ａは、各アーム部６５ｂを伸縮させる駆動部を有する。
【００４７】
先端側部材６５ｃは、２本のアーム部６５ｂの先端に接続された矩形板状の基部６６を備える。基部６６の長手方向はＹ方向と一致し、基部６６の短手方向は重力方向と一致する。先端側部材６５ｃは、基部６６において重力方向の下側に位置する一方の長縁部から、Ｘ方向においてアーム部６５ｂとは反対側に向けて延出する矩形板状の支持部６７と、基部６６において重力方向の上側に位置する他方の長縁部の一部から、Ｘ方向においてアーム部６５ｂとは反対側に向けて延出する第２押圧部としてのボールプランジャ６８とを備える。本実施形態の先端側部材６５ｃは、４つのボールプランジャ６８を備え、４つのボールプランジャ６８は、Ｙ方向に並んでいる。
【００４８】
支持部６７の長手方向はＹ方向と一致し、支持部６７の短手方向はＸ方向と一致する。図５に示すように、支持部６７の厚みは、蓋１４と導電部材１７との隙間よりも薄く設定されている。重力方向において、支持部６７は、上面が導電部材１７における蓋１４側の面よりも下側に位置し、下面が蓋１４の内面１４ａよりも上側に位置するように配置される。図４に示すように、支持部６７は、第１載置部６１側の長縁部６７ａから本体部６５ａ側に向けて凹む２つの溝６７ｂを有する。２つの溝６７ｂは、Ｙ方向において間隔を空けて配置され、２つの溝６７ｂの間隔は、２本のピン６３の間隔とほぼ同じである。
【００４９】
図５に示すように、各ボールプランジャ６８は、ばね７１と、ばね７１の一端に取り付けられたボール７２と、ばね７１の他端が固定されるとともに、ばね７１全体及びボール７２の一部を収容する収容孔を有する収容部７３とを備える。収容部７３は、接続部７４を介して基部６６に接続されている。また、収容部７３は、ばね７１が重力方向に弾性変形可能であり、かつボール７２が重力方向の下側に位置するように配置される。重力方向におけるボール７２の位置は、ばね７１の伸縮状態に応じて変化する。
【００５０】
Ｘ方向において、基部６６からのボールプランジャ６８の延出量は、基部６６からの支持部６７の延出量よりも少ない。言い換えると、基部６６からの支持部６７の延出量は、基部６６からのボールプランジャ６８の延出量よりも多い。よって、Ｘ方向において、支持部６７の第１載置部６１側の長縁部６７ａは、第１載置部６１とボールプランジャ６８との間に位置する。また、Ｙ方向に並ぶ４つのボールプランジャ６８のうち、２つのボールプランジャ６８は、支持部６７の一方の溝６７ｂを挟むように配置され、残り２つのボールプランジャ６８は、支持部６７の他方の溝６７ｂを挟むように配置される。溝６７ｂを挟む一対のボールプランジャ６８は、ボール７２の下端部同士の間隔がタブ２６の短手方向の寸法よりも短くなるように配置される。
【００５１】
Ｘ方向における先端側部材６５ｃの位置は、各アーム部６５ｂの伸縮状態に応じて変化する。各アーム部６５ｂが縮んだ状態にあるとき、先端側部材６５ｃは、Ｘ方向において２本のピン６３と本体部６５ａとの間に位置する。図８（ａ）及び図８（ｂ）に示すように、各アーム部６５ｂが伸びた状態にあるとき、各ボールプランジャ６８のボール７２及び支持部６７は、Ｘ方向において第１載置部６１と２本のピン６３との間に位置する。
【００５２】
第１屈曲工程では、まず、図４及び図５に示すように、蓋端子組立体Ｗ２を第１載置部６１及び第２載置部６２上に載置する。電極組立体１２は、タブ側端面１２ａが第２載置部６２側に位置するとともに積層方向が重力方向に延びる状態で、第１載置部６１の支持面６１ａ上に載置される。蓋側部材Ｗ１は、蓋１４の長手方向がＹ方向と一致し、蓋１４の短手方向がＸ方向と一致するように、第２載置部６２の支持面６２ａ上に載置される。第２載置部６２に載置された蓋側部材Ｗ１において、蓋１４と導電部材１７とタブ群１５とは重力方向に重なっている。タブ群１５は重力方向の上側に位置し、蓋１４は重力方向の下側に位置する。また、蓋側部材Ｗ１は、各タブ群１５の余剰部１５ｅの下側に各ピン６３が位置するように、第２載置部６２の支持面６２ａにおける第１載置部６１寄りの部分に配置される。よって、各ピン６３は、重力方向において余剰部１５ｅに対して導電部材１７側に位置する。各ピン６３は、第２載置部６２の支持面６２ａから突出していない状態にある。また、押圧装置６５の各アーム部６５ｂは、縮んだ状態である。一対の蓋保持部６４は、非保持位置から保持位置に移動することにより、蓋１４を長手方向の両側から挟持する。
【００５３】
次に、図６に示すように、各ピン６３を上昇させて支持面６２ａから突出させることにより、各ピン６３は、各タブ群１５の他端側タブ２６ｂに接触した後、導電部材１７側から各タブ群１５を押し上げる。これにより、各タブ群１５の余剰部１５ｅは、重力方向の上側に向けて撓む。
【００５４】
次に、図７に示すように、各アーム部６５ｂを伸ばして先端側部材６５ｃを余剰部１５ｅに向けてＸ方向に移動させる。すると、まず、支持部６７が、蓋１４の内面１４ａと導電部材１７との隙間に挿入される。このとき、余剰部１５ｅを押し上げる各ピン６３は、支持部６７の各溝６７ｂに入り込むため、各ピン６３と支持部６７との干渉が回避される。続いて、各ボールプランジャ６８が、撓んだ状態の余剰部１５ｅの他端側タブ２６ｂに接触し、余剰部１５ｅを電極組立体１２のタブ側端面１２ａに向けてＸ方向に押圧し始める。このとき、各ボールプランジャ６８のばね７１は、ボール７２が余剰部１５ｅによって押圧されることにより、自然長の状態から圧縮された状態になる。各ボールプランジャ６８のボール７２が余剰部１５ｅを電極組立体１２に向けて押し始めた後、各ピン６３を下降させる。また、各ピン６３を下降させながら、各アーム部６５ｂを更に伸ばして先端側部材６５ｃを電極組立体１２に向けて更に移動させる。
【００５５】
その結果、図８（ａ）及び図８（ｂ）に示すように、タブ群１５の余剰部１５ｅは、他端側タブ２６ｂが延出部１５ｂと対向するように屈曲される。よって、余剰部１５ｅには第２屈曲部１５ｃが形成され、余剰部１５ｅにおける延出部１５ｂに沿う部分は折り返し部１５ｄとなる。延出部１５ｂに折り返し部１５ｄが重なることにより、導電部材１７上のタブ群１５の厚みは屈曲前の厚みよりも厚くなる。このため、各ボールプランジャ６８のボール７２は、厚みが増したタブ群１５により押圧され、ばね７１は更に圧縮されるが、その反力によって、ボール７２は、折り返し部１５ｄを導電部材１７に向けて押圧する。つまり、各ボールプランジャ６８のボール７２は、ばね７１の弾性力によって、余剰部１５ｅを導電部材１７に向けて押圧する。これにより、余剰部１５ｅは、屈曲された状態、すなわち第２屈曲部１５ｃ及び折り返し部１５ｄが形成された状態で癖付けされる。
【００５６】
余剰部１５ｅに癖付けした後、各アーム部６５ｂを縮めることで、先端側部材６５ｃをＸ方向においてタブ群１５から離れるように移動させる。これにより、各ボールプランジャ６８のボール７２によるタブ群１５の押圧が解除される。
【００５７】
図示しないが、第２屈曲工程では、積層方向の他端側においてタブ群１５を曲げて蓋側部材Ｗ１の姿勢を変更する。これにより、タブ群１５には第１屈曲部１５ａが形成されるとともに、蓋１４の内面１４ａや折り返し部１５ｄは、電極組立体１２のタブ側端面１２ａと対向する。
【００５８】
二次電池１０の製造方法は、蓋端子組立体Ｗ２における電極組立体１２の一部をケース本体１３に収容する仮収容工程と、蓋端子組立体Ｗ２に絶縁カバー３０を取り付ける取付工程と、絶縁カバー３０が取り付けられた蓋端子組立体Ｗ２をケース１１に収容する本収容工程とを備える。
【００５９】
仮収容工程では、電極組立体１２の底側端面１２ｂとケース本体１３の底壁１３ｂの内面とが近付くように、蓋端子組立体Ｗ２の電極組立体１２を底側端面１２ｂ側からケース本体１３に収容する。仮収容工程においてケース本体１３内に収容するのは、電極組立体１２の一部であり、電極組立体１２のタブ側端面１２ａをケース本体１３の長側壁１３ｃ及び短側壁１３ｄの先端面よりも上側に位置させる。
【００６０】
取付工程では、蓋端子組立体Ｗ２に対し、積層方向の一端側から他端側に向けて絶縁カバー３０を移動させることにより、絶縁カバー３０を取り付ける。詳しくは、蓋側絶縁部３２が、導電部材１７と蓋１４の内面１４ａとの間に挿入される。また、電極側絶縁部３３の端子側絶縁部３５は、導電部材１７と電極組立体１２のタブ側端面１２ａとの間に挿入され、電極側絶縁部３３のタブ側絶縁部３４は、タブ群１５の折り返し部１５ｄと電極組立体１２のタブ側端面１２ａとの間に挿入される。電極側絶縁部３３の爪部３６は、内側絶縁部材１９の第２壁部１９ｃに係止される。また、ケース側絶縁部３１は、タブ群１５の第２屈曲部１５ｃを積層方向の一端側から覆う。
【００６１】
本収容工程では、絶縁カバー３０が取り付けられた蓋端子組立体Ｗ２をケース本体１３に本収容する。これにより、電極組立体１２全体、タブ群１５、引出端子１６ａの一部、導電部材１７、内側絶縁部材１９、及び絶縁カバー３０がケース本体１３に収容されるとともに、蓋１４の内面１４ａは、ケース本体１３の長側壁１３ｃ及び短側壁１３ｄの先端面に重ねられる。絶縁カバー３０のケース側絶縁部３１は、タブ群１５の第２屈曲部１５ｃとケース本体１３の一方の長側壁１３ｃの内面との間に位置する。そして、ケース本体１３と蓋１４とを溶接することにより、二次電池１０が完成する。
【００６２】
本実施形態の作用及び効果について説明する。
（１）ピン６３は、導電部材１７側からタブ群１５の余剰部１５ｅを押圧して撓ませる。押圧装置６５のボールプランジャ６８が撓んだ状態の余剰部１５ｅに向けて移動することにより、ボールプランジャ６８のボール７２は、余剰部１５ｅを電極組立体１２のタブ側端面１２ａに向けて押圧し、余剰部１５ｅを延出部１５ｂに沿う状態に屈曲させる。これにより、余剰部１５ｅには、第２屈曲部１５ｃ及び折り返し部１５ｄが形成される。また、ボールプランジャ６８のばね７１の弾性力によって、ばね７１の一端に取り付けられたボール７２は、延出部１５ｂに沿う状態に屈曲した余剰部１５ｅを導電部材１７に向けて押圧する。これにより、余剰部１５ｅは屈曲された状態で癖付けされ、余剰部１５ｅが屈曲前の形状に戻ることが抑制される。よって、製造された二次電池１０において、タブ群１５の第２屈曲部１５ｃが屈曲前の形状に戻ろうとして、折り返し部１５ｄが第２屈曲部１５ｃを軸に回動することが抑制される。その結果、タブ群１５の折り返し部１５ｄが絶縁カバー３０のタブ側絶縁部３４を押し下げることによる電極側絶縁部３３の変形を抑制できる。
【００６３】
（２）第２押圧部としてのボールプランジャ６８のボール７２は、ばね７１の弾性力によって余剰部１５ｅを導電部材１７に向けて押圧する。このため、例えば、駆動部によって第２押圧部を余剰部１５ｅに近付くように移動させることで、余剰部１５ｅを導電部材１７に向けて押圧する場合と比較して、第２押圧部によって余剰部１５ｅを導電部材１７に向けて押圧するための構成を簡素化できる。
【００６４】
（３）押圧装置６５の先端側部材６５ｃは、基部６６から延出した支持部６７を備える。基部６６からの支持部６７の延出量は、基部６６からのボールプランジャ６８の延出量よりも多い。このため、先端側部材６５ｃを余剰部１５ｅに向けて移動させる際、支持部６７は、ボールプランジャ６８のボール７２が余剰部１５ｅを導電部材１７に向けて押圧する前に、蓋１４の内面１４ａと導電部材１７との間に挿入され、導電部材１７を支持する。よって、ボールプランジャ６８のボール７２が余剰部１５ｅを導電部材１７に向けて押圧した際に、導電部材１７が変形することを抑制できる。
【００６５】
本実施形態は、以下のように変更して実施することができる。本実施形態及び変更例は、技術的に矛盾しない範囲で互いに組み合わせて実施することができる。
○  第１載置部６１及び第２載置部６２を配置する向きは適宜変更してよい。例えば、第１載置部６１が重力方向の下側に位置し、第２載置部６２が重力方向の上側に位置し、かつ支持面６１ａ，６２ａが重力方向に沿うように、第１載置部６１及び第２載置部６２を縦置きで配置してもよい。この場合、第１屈曲工程は、蓋側部材Ｗ１が重力方向の上側に位置し、電極組立体１２が重力方向の下側に位置する状態で行われる。
【００６６】
○  余剰部１５ｅを撓ませる方法は、ピン６３で押し上げて撓ませる方法以外でもよい。例えば、導電部材１７側から余剰部１５ｅに向けてエア等を噴射することで、余剰部１５ｅを押圧して撓ませてもよい。この場合、エアを噴射する噴射装置が第１押圧部となる。
【００６７】
○  第２押圧部は、ボールプランジャ６８に限定されず、撓んだ状態の余剰部１５ｅを電極組立体１２のタブ側端面１２ａに向けて押圧することで、余剰部１５ｅを延出部１５ｂに沿う状態に屈曲させ、延出部１５ｂに沿う状態に屈曲した余剰部１５ｅを導電部材１７に向けて押圧できるのであれば適宜変更してよい。
【００６８】
例えば、第２押圧部は、タブ群１５と導電部材１７とが重なる方向に弾性変形可能なロール部材であってもよい。この場合、ロール部材は、撓んだ状態の余剰部１５ｅを電極組立体１２のタブ側端面１２ａに向けて押圧し、余剰部１５ｅを延出部１５ｂに沿う状態に屈曲させる。また、ロール部材は、弾性変形することによって、屈曲した状態の余剰部１５ｅを導電部材１７に向けて押圧し、余剰部１５ｅに癖付けする。
【００６９】
また、例えば、第２押圧部は、板状部材と、板状部材をＸ方向に移動させる第１駆動部と、板状部材をタブ群１５と導電部材１７とが重なる方向に移動させる第２駆動部とを有していてもよい。第１駆動部が板状部材を余剰部１５ｅに向けて移動させることで、板状部材は、撓んだ状態の余剰部１５ｅを電極組立体１２のタブ側端面１２ａに向けて押圧し、余剰部１５ｅを延出部１５ｂに沿う状態に屈曲させる。つまり、板状部材と第１駆動部とは、余剰部１５ｅを屈曲させる屈曲機構を構成する。また、第２駆動部は、余剰部１５ｅが延出部１５ｂに沿う状態に屈曲した後で、板状部材をタブ群１５に向けて移動させることで、板状部材は、屈曲した余剰部１５ｅを導電部材１７に向けて押圧する。つまり、板状部材と第２駆動部とは、余剰部１５ｅを屈曲させた後、余剰部１５ｅを押圧する押圧機構を構成する。余剰部１５ｅは、板状部材によって押圧されることにより、屈曲した状態で癖付けされる。
【００７０】
○  １つのタブ群１５を押圧するボールプランジャ６８の数は、１つでもよいし、３つ以上でもよい。
○  支持部６７を省略してもよい。
【００７１】
○  支持部６７は、押圧装置６５と別体でもよい。
○  タブ群１５の先端部が導電部材１７の長縁部１７ａから突出するように導電部材１７上にタブ群１５を配置する際、少なくとも一端側タブ２６ａが導電部材１７の長縁部１７ａから突出すればよく、他端側タブ２６ｂのみ、又は全てのタブ２６のうち、他端側タブ２６ｂを含む数枚だけが導電部材１７の長縁部１７ａから突出していてもよい。
【００７２】
○  正極電極２１は、正極集電体２４の片面に正極活物質層２５が存在する構造でもよい。同様に、負極電極２２は、負極集電体２７の片面に負極活物質層２８が存在する構造でもよい。
【００７３】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００７４】
○  蓄電装置は、例えばキャパシタなど、二次電池以外の蓄電装置にも適用可能である。
【符号の説明】
【００７５】
１０…蓄電装置としての二次電池、１１…ケース、１２…電極組立体、１２ａ…タブ側端面、１３…ケース本体、１３ａ…開口部、１４…蓋、１４ａ…内面、１５…タブ群、１５ｂ…延出部、１５ｃ…屈曲部としての第２屈曲部、１５ｄ…折り返し部、１５ｅ…余剰部、１７…導電部材、２１…電極としての正極電極、２１ａ…一辺、２２…電極としての負極電極、２２ａ…一辺、２６…タブ、３０…絶縁カバー、３１…ケース側絶縁部、３２…蓋側絶縁部、３３…電極側絶縁部、６０…蓄電装置の製造装置としての二次電池の製造装置、６３…第１押圧部としてのピン、６７…支持部、６８…第２押圧部としてのボールプランジャ。
【図１】
2020042910.tif 000003
【図２】
2020042910.tif 000004
【図３】
2020042910.tif 000005
【図４】
2020042910.tif 000006
【図５】
2020042910.tif 000007
【図６】
2020042910.tif 000008
【図７】
2020042910.tif 000009
【図８】
2020042910.tif 000010